(57)【要約】【課題】生理メカニズム活性化装置および方法を提供すること。【解決手段】本願発明は、身体の体熱分布による温度差の色相対比によって区分された１群のコードの中から選択された２つ以上のコードからなる診断コードを基盤とする。このため、処方として、コード列からなる活性化処方コードを生成し、各コードに該当する信号を連続抽出し、究極的に、この信号は刺激として出力されて身体に活性刺激を提供する。本願発明は、身体の体温分布を測定し、それにより孤立系内の電位差を設定することにより、加速運動する振動や波長などが身体の全般に十分伝達されるようにする。よって、治療刺激が身体の特定部位だけでなく身体の全般に伝達される生理メカニズムが観察されるという効果がある。【選択図】図１
2015506801.tif 000002
【特許請求の範囲】
【請求項１】
体熱診断機上の色相によって区分された１群のコードのうち、実測によって選択された２つ以上のコードからなる診断コードを入力するユーザー入力部（１１）と、
前記診断コードを読み取り、第１メモリから一連のコード列からなる活性化処方コードを抽出する第１処理部（１６）と、各コード別の信号を記憶する第２メモリから前記処方コードの対応信号を順次に抽出する第２処理部（１８）と、前記第１および第２処理部を含む装置の動作を制御する中央制御部とから構成される本体（１２）と、
前記対応信号を物理的刺激に変換して身体の筋肉に活動電位を提供する刺激出力部（１３）と、を含んでなることを特徴とする生理メカニズム活性化装置。
【請求項２】
前記入力部（１１）は有線／無線操作または遠隔操作が可能であることを特徴とする請求項１に記載の生理メカニズム活性化装置。
【請求項３】
前記コードは、数字、文字、記号、またはこれらの組み合わせからなる１２個のコードであることを特徴とする請求項１に記載の生理メカニズム活性化装置。
【請求項４】
前記刺激は、電流、光、波動または振動が選択的または複合的に適用されることを特徴とする請求項１に記載の生理メカニズム活性化装置。
【請求項５】
前記第１処理部（１６）によって抽出された活性化処方コードは、別途に記憶され、スイッチ（２０）によって選択的に用いられることを特徴とする請求項１に記載の生理メカニズム活性化装置。
【請求項６】
前記診断機上の正常コード値と実測コード値との差を読み取り、前記差別に処方コードを選択および抽出するために、生理メカニズム活性化処方コード表で予め定義されたグループとルールが使用されることを特徴とする請求項１に記載の生理メカニズム活性化装置。
【請求項７】
前記各コード別の信号として、予め定義されたコード別の信号波形およびデジタルコードが使用されることを特徴とする請求項１に記載の生理メカニズム活性化装置。
【請求項８】
微小電流刺激を身体に印加する際に、単一電極のみを使用することにより、印加された微小電流が人体の全般に伝達されて刺激効果を極大化することを特徴とする請求項１に記載の生理メカニズム活性化装置。
【請求項９】
入力部（１１）、本体（１２）および出力部（１３）を含む活性化装置（１０）において、体熱診断機上の色相によって区分された１群のコードのうち、実測によって選択された２つ以上のコードを診断コードとして入力する第１段階と、前記診断コードを読み取り、第１メモリから一連のコード列からなる活性化処方コードを抽出する第２段階と、各コード別の信号を記憶する第２メモリから前記処方コードの対応信号を順次に抽出する第３段階と、前記対応信号を刺激に変換出力して身体の筋肉に活動電位を提供する第４段階とを含んでなることを特徴とする生理メカニズム活性化方法。
【請求項１０】
前記第２段階で記憶された活性化コードはスイッチ（２０）の選択によって繰り返し使用でき、前記第１段階および前記第２段階は記憶目録ディスプレイから特定の活性化コードを選択する段階で代替されることを特徴とする請求項９に記載の生理メカニズム活性化方法。
【請求項１１】
前記第２段階は、診断機上の正常コード値と実測コード値の差を読み取り、前記差別に定められた処方コードを選択および抽出することを特徴とする請求項９に記載の生理メカニズム活性化方法。
【発明の詳細な説明】
【技術分野】
【０００１】
本願発明は、微小電流、光、波動、振動などを用いた生体刺激によって予防的な健康管理や頭脳開発、疾患治療などの目的で使用できる生理メカニズム活性化装置および方法に関する。
【背景技術】
【０００２】
一般に、健康管理または疾病治療のために多様な電磁気的および物理的刺激機が開発された。一例として微小電流刺激機があるが、この刺激機は、１０００μＡ未満の低圧脈動マイクロアンペアの刺激を生体に印加する装置である。この微小電流は、生体の持つ固有電流と非常に似ており、疼痛、炎症、筋委縮および傷の回復などに有用であると知られている。
【０００３】
他の例として、本願発明者／出願人による韓国特許第７７９１６１号の生理メカニズム活性化装置がある。この装置は、治療効果のある音声または音楽を基盤として音波と電気の２つの刺激モードを同時に提供することにより、刺激強度を十分に高めかつ治療効果を極大化する多重モード生理メカニズム活性化装置である。
【０００４】
このような従来の刺激機または装置がある程度の効果を提供することは明らかである。ところが、このように１種または２種の単純な刺激パターンを使用することは、人体の刺激伝達特性を十分に反映することができないので、その効果が非常に制限的であるという限界がある。一方、電気的刺激を使用する場合には、信号の流れが２電極の間に形成されることにより、刺激が身体の全般に伝達されないという限界がある。
【０００５】
要するに、従来の装置によれば、現在の身体状態を考慮せず、単純に予め定められた単純刺激パターンを使用することにより、印加された刺激が治療または管理に効果的ではなく且つ身体の全般に効果的に伝達されない問題や、局所的な症状、例えば疼痛、肩凝り、捻挫などの治療に限定的に適用されるだけであり、生体の活動リズムを全体として調節することはできない問題などがあった。
【発明の概要】
【発明が解決しようとする課題】
【０００６】
本願発明は、上述した従来の装置の問題点を解決するために提案されたものである。すなわち、本願発明は、ユーザーの体熱分布による身体状態を考慮して、適切な診断および処方を施し、それにより治療刺激として出力することにより、生理メカニズムを包括的に活性化することが可能な生理メカニズム活性化装置および方法を提供しようとするものである。
【課題を解決するための手段】
【０００７】
本願発明の生理メカニズム活性化装置は、体熱診断機上の色相によって区分された１群のコードのうち、実測によって選択された２つ以上のコードからなる診断コードを入力するユーザー入力部（１１）と、前記診断コードを読み取り、第１メモリから一連のコード列からなる活性化処方コードを抽出する第１処理部（１６）と、各コード別の信号を記憶する第２メモリから前記処方コードの対応信号を順次に抽出する第２処理部（１８）と、前記第１および第２処理部を含む装置の動作を制御する中央制御部とから構成される本体（１２）と、前記対応信号を物理的刺激に変換して身体の筋肉に活動電位を提供する刺激出力部（１３）と、を含んでなる。
【０００８】
前記コードは、数字、文字または記号を全て含む。
【０００９】
前記刺激は、電流、光、波動または振動を全て含む。
【００１０】
一方、本願発明の生理メカニズム活性化方法は、入力部、本体および出力部から構成される活性化装置を基盤として、体熱診断機上の色相によって区分された１群のコードのうち、実測によって選択された２つ以上のコードを診断コードとして入力する第１段階と、前記診断コードを読み取り、第１メモリから一連のコード列からなる活性化処方コードを抽出する第２段階と、各コード別の信号を記憶する第２メモリから前記処方コードの対応信号を順次に抽出する第３段階と、前記対応信号を刺激に変換出力して身体の筋肉に活動電位を提供する第４段階とを含んでなる。
【発明の効果】
【００１１】
本願発明の活性化装置および方法は、体熱分布測定方法によって現在の身体状態を十分に考慮し、それによる適切な診断、処方および刺激を提供する。よって、印加された刺激が治療または管理に相当効果的である。
【００１２】
一般なエネルギー伝達方向において、高電位である高い体熱部位から、低電位である低い体熱部位の方向に電場が形成され、身体（人体）などの孤立系において、系内部の電荷は熱平衡状態に達するまで連続的に加速運動を行う。本願発明は、身体の体温分布を測定し、それにより孤立系内の電位差を設定することにより、加速運動する振動や波長などが身体の全般に十分伝達されるようにした。これにより、治療刺激が身体の特定部位だけでなく身体の全般に伝達される生理メカニズムが観察された。
【００１３】
一方、本願発明によれば、ユーザーはただ３〜４個程度からなる診断コードのみを入力すれば済むので、ユーザーにとっては使用および取り扱いが便利な側面もある。
【図面の簡単な説明】
【００１４】
【図１】本願発明に係る生理メカニズム活性化装置の構成図である。
【図２】本願発明に係る生理メカニズム活性化装置の作用の順序図である。
【図３】本願発明に係る生理メカニズム活性化装置における処方コードの生成を示すフローチャートである。
【発明を実施するための形態】
【００１５】
上述した或いは上述していない本願発明の特徴および効果は、添付図面を参照して説明する下記の実施例からさらに明らかになるのであろう。
【００１６】
図１を参照すると、符号１０は本願発明に係る生理メカニズム活性化装置を示す。
【００１７】
前記活性化装置１０は、ユーザーの入力部１１と、中央制御部１５を含む本体と、刺激出力部１３とを含んで構成される。
【００１８】
まず、前記入力部１１は、身体の体熱分布による温度差の色相対比によって区分された１群のコードの中から選択された２つ以上のコードからなる診断コードを入力する手段である。前記体熱分布を測定するために、通常の赤外線体熱診断機を用いる。但し、体熱測定および色相出力ができる限りは、名称の区分を問わずいずれの機器でも使用できるのである。この診断機は、通常、体熱を可視光線の範囲で１２種の色相領域に区分して表示する。色相領域は例えば下記表１のとおりである。
【００１９】
【表１】
2015506801.tif 000003
【００２０】
表１に示すように、各色相では一つずつのコードが与えられている。よって、「ｒｅｄ」から「ｖｉｏｌｅｔ」に至るまで、各色相に対応する「１、２、３、４、５、６、７、８、９、０、’１、’２」を含む１２個が前記１群のコードを構成する。このコードは、治療や健康管理など、装置１０の使用目的に合わせて診断および処方するキー(Key)となる。前述したように、前記診断コードは２つ以上のコードから構成される。但し、実際には通常３つまたは４つのコード列から構成されるが、これは体熱測定の結果が通常３つまたは４つの色相帯域で表示されるためである。
【００２１】
本願発明において、前記コードは、数字から構成されるが、文字や記号、その他識別可能な全ての形態のコードを含む。
【００２２】
このような方法で診断コードが決定されると、ユーザーは有・無線または遠隔入力部１１を介してその診断コードを入力する。符号１４は、前記本体１２に連結された表示部であって、入力その他の装置の動作プロセスを確認することが可能な手段である。前記入力部１１および表示部１４は、診断コードの入出力が主用途であるが、ユーザーとのインタラクションのための一般なデータ入出力装置としても使用が可能である。簡単には、数字キーパッドと小型の液晶ディスプレイを用いて実現することもでき、タッチスクリーン方式の入出力装置を使用することもできる。
【００２３】
前記本体１２は、第１処理部１６、第２処理部１８および中央制御部１５を含んで構成される。
【００２４】
前記第１処理部１６は診断コードによる処方を行うものである。この処方は、入力された前記診断コードを基盤として第１メモリ１７から一連のコード列からなる活性化コードを抽出する方法で行われる。すなわち、前記第１メモリ１７は、日常の健康管理、頭脳開発、疾患治療などのための多数の生理メカニズム活性化コードを記憶している。そして、個別装置１０の使用目的に応じて前記診断コードが決定および入力されると、それに合う活性化処方コードが抽出されるのである。
【００２５】
たとえば、赤外線体熱診断機を用いた体熱分布測定の結果、顔面中心部は赤（ｒｅｄ）、頬部は青（ｂｌｕｅ）、頬骨部分は緑（ｇｒｅｅｎ）である。よって、診断コード「１−０−７」と決定された顔面麻痺患者の場合、熱平衡の原理に従って一般に「２−１−４」の方向または方式で処方されるであろう。具体的には、エネルギー転移度、加速性、方向性などを考慮した生理メカニズム活性化コード表による。
【００２６】
表２は例示的に、入力された前記診断コードを基盤として適正活性化処方コードを抽出することに利用される生理メカニズム活性化コード表を示す。この表は前記１２個のコードの帯域帯の間のエネルギー交流、転移および活性化を考慮して、実験的に得られた規則を体系化して構築したものである。これにより、装置１０の使用目的、個別診断コードに対する処方として、各帯域およびシステム全体のための活性化処方コードが生成および抽出できるのである。
【００２７】
実際に生成および抽出される活性化コードは、１グループ−１ルール−１コード配列のように画一的方式で定められず、表２から多数のルールが複合的に適用されることもでき、あるルールではコード配列の一部のみ適用されることもできる。このような方法で、前記第１処理部１６は、活性化処方コードとして前記１２個のコードを用いた一連のコード列を抽出するものである。
【００２８】
【表２】
2015506801.tif 000004
【００２９】
このように処方された活性化コードは必要に応じて記憶でき、スイッチ２０は記憶された特定の活性化処方コードを選択することに用いられる。
【００３０】
前記第２処理部１８は、診断コードに基づいて行われた処方に従って対応信号を抽出するのである。これは、コード列からなる活性化処方コードを基盤として、前記１２個のコード別の設定信号を記憶する第２メモリ１９から前記活性化コードの各対応信号を順次に抽出する方法で行われる。すなわち、前記第２メモリ１９は、各コードに対応する信号を記憶しており、伝達された処方コードの列によって各対応信号が順次に抽出されるのである。
【００３１】
【表３】
2015506801.tif 000005
【００３２】
表３は各コードに対応する信号波形表を示す。この表も前記１２個のコードの帯域帯の間のエネルギー交流、転移および活性化を考慮して、実験的に得られた帯域別最適波形を体系化したものである。本願発明において、前記処方された活性化コードを基盤として各対応信号の波形が順次に連続抽出されるが、信号出力の際に、各波形は秒当たり５〜１２ビットの範囲内で可変的に適用されるように設計できる。
【００３３】
前記中央制御部１５は装置１０全体の動作を制御する。重要なことには、入力部１１を介して入力された診断コードを基盤として、第１メモリ１７の生理メカニズム活性化処方コード表を適用して活性化処方コードを生成および記憶する第１処理部１６の動作や、生成または記憶された活性化処方コードを基盤として生理メカニズム活性化コード表を参照して対応信号を抽出および出力する第２処理部１８の動作など、装置１０における全てのデータ処理および制御を行う。
【００３４】
前記出力部１３は、前記対応信号を刺激に変換して身体の筋肉に活動電位を提供する端末手段である。好ましくは、前記刺激は微小電流であるが、光や波動または振動などが選択的または複合的に適用できる。この出力部１３の具体的な構成のために、電極、ＬＥＤ、ＲＦ発生器、スピーカ、バイブレーターなどが備えられてもよい。
【００３５】
前記出力部１３が身体に付着または接触して身体の筋肉に活動電位を提供し、帯域帯の間のエネルギー交流および転移によって身体の全般の生理メカニズムが活性化されるのである。この際、微小電流の刺激を身体に印加する際には単一電極のみを使用し、これにより印加された微小電流が身体の全般に伝達されて刺激効果を極大化することができる。
【００３６】
図２を参照して、前記活性化装置１０を基盤とする生理メカニズム活性化方法を説明する。まず、活性化装置１０に電源が印加されると同時に、入力部１１と表示部１４を用いたユーザーインタラクションを介して装置１０の動作を確認する。そして、次の段階が行われる。
【００３７】
第１段階
第１段階は、身体の体熱分布による温度差の色相対比によって区分された１群のコードの中から選択された２つ以上のコードからなる診断コードを入力する段階である。前述したように赤外線体熱診断機を用い、１２個の色相領域に対してはそれぞれ１、２、３、４、５、６、７、８、９、０、’１、’２の対応コードを与えたので、前記診断コードは選択された２つ以上のコートで決定される。ユーザーはこの診断コードを、入力部１１を介して入力する。
【００３８】
第２段階
第２段階は、前記第１段階の診断コードに対する処方であって、第１メモリ１７から一連のコード列からなる活性化処方コードを抽出し記憶する段階である。この段階は、前記第１処理部１６で、入力された前記診断コードを基盤として、一連のコード列からなる活性化処方コードを抽出する方法で行われる。すなわち、前記第１メモリ１７は、日常の健康管理、頭脳開発、疾患治療などのための多数の生理メカニズム活性化コードを記憶している。そして、個別装置１０の使用目的に応じて前記診断コードが決定および入力されると、それに合う処方コードが抽出および記憶される。この際、表２の生理メカニズム活性化コード表を参照する。
【００３９】
前述した第１段階および第２段階は「入力モード」で行われる。但し、前記第２段階で記憶された活性化コードはスイッチ２０の選択によって繰り返し使用できる。よって、「選択モード」における前記第１段階および第２段階は、記憶目録ディスプレイから特定の活性化コードを選択する段階で代替できる。
【００４０】
第３段階
第３段階は、前記コード別の設定信号を記憶する第２メモリ１９から前記活性化コードの各対応信号を順次に抽出する段階である。この段階は、コード列からなる活性化処方コードを基盤として、第２処理部１８が、前記第１２個のコード別の設定信号を記憶する第２メモリ１９から前記活性化処方コードの各対応信号を順次に抽出する方法で行われる。この際、表３の信号波形表を参照する。
【００４１】
第４段階
第４段階は、前記対応信号を電流、光、波動および振動に変換して身体の筋肉に適した活動電位を提供するために刺激を出力する段階である。前述したように、前記出力部１３は、前記対応信号を刺激に変換して身体の筋肉に活動電位を提供する端末手段である。好ましくは、前記刺激は微小電流であるが、光や波動、振動などが選択的または複合的に適用できる。
【００４２】
前記出力部１３が身体に付着または接触した状態で、以上の段階を経て発生した刺激が身体の筋肉に活動電位を提供し、帯域帯の間のエネルギー交流および転移によって身体の全般の生理メカニズムが活性化されるのである。以上の色相の帯域別の病因または症状の分析、処方としての活性化コード、各色相コードに対応するデジタルコードは帯域帯の間のエネルギー交流、転移および活性化のために実験的に得られた最適の結果である。
【００４３】
図３は表２を参照して活性化処方コードを生成する過程を例示的に示す。まず、診断コードが入力されると、これを読み取り、第１処理部１６では表２のコード表のグループ１またはグループ２を適用する。この際、正常コード値と実測値との差が７未満である場合にはグループ１を選択し、正常コード値と実測値との差が７以上である場合にはグループ２を選択する。
【００４４】
実際に、前者の場合は基本的な電荷値、すなわちエネルギーが存在する場合であり、後者の場合は局所的に電荷値が全く存在しない場合が多い。例えば、正常値としてコード２、３程度の部位に「０」のｂｌｕｅが測定されると、この部分は麻痺または壊死の徴候がある部分であって、この場合には通常のグループ１の処方では足りず、特にその部分にまず基本電荷を強制に持たせる処方が必要である。
【００４５】
よって、このような場合のために、グループ２で別途処方するのである。勿論、その部分に基本電荷が生成すると、さらに開始してグループ１が適用されるようにすることができる。ルール７、８、９はグループ２の中でも差値の程度によって異なる処方コードが適用できることを示す。例えば、ルール７を適用して、コード１のための処方コードとしてコード列１、’２、１８、１４、１０、１３、１７が処方されるのである。
【００４６】
グループ１は、差異値によって異なる処方を持つルール１〜６とルール１−１〜６−１に区分されている。まず、ルール１〜６は、身体が全体として熱平衡に達するようにする方式の処方コードを持っており、次のルール１−１〜６−１は熱平衡値を強制に与えて主に局所的に熱平衡に達するようにする方式の処方コードを持っている。よって、身体の状態および装置の使用目的に応じて様々な処方および刺激が提供できる。
【００４７】
前記各ルールの処方コードが全体または部分抽出されて一連の処方コードとなり、これに対応する信号が順次に抽出され、刺激として出力されて生理メカニズムが全体として活性化できるのである。
【図１】
2015506801.tif 000006
【図２】
2015506801.tif 000007
【図３】
2015506801.tif 000008
【国際調査報告】
2015506801.tif 000009
2015506801.tif 000010
2015506801.tif 000011
2015506801.tif 000012